(57)【要約】【課題】印字時のヘッドの温度制御を行う。【解決手段】印刷時に印刷ヘッドの温度変化に応じて使用する濃度変換テーブルを変更する。【選択図】        図１
2004314441.tif 000002
【特許請求の範囲】
【請求項１】
印刷時の印刷ヘッドの温度情報を計測する温度計測装置と、
データ濃度を印刷濃度に置換する変換テーブルと、
印刷時に定められた温度変化が発生した際に
前記変換テーブルを変更する変更手段とを有することを特徴とする印刷装置。
【請求項２】
前期請求項１の定められた温度変化が微分係数値である前期請求項１の印刷装置。
【請求項３】
前期請求項２の微分係数値が温度に依存する値である前期請求項２の印刷装置。
【請求項４】
前期請求項１の定められた温度変化が上昇時と下降時とで異なる前期請求項１、２及び３に記載の印刷装置。
【発明の詳細な説明】
【０００１】
【発明の属する技術分野】
本発明は記録媒体に対して画像や文字等を記録する記録装置、特に印字情報を熱エネルギーに変換する方式により印字を行う記録装置に関わるものである。
【０００２】
【従来の技術】
印字に際して投入されるエネルギーが本来印字動作にのみ消費されることが理想的ではあるが、実際には印字行う部位、印字ヘッドあるいはインク等の記録剤にも投入され、それらの温度変動をきたし、そのために適切は印字動作が保たれなかった。  そのため従来は、駆動エネルギーの駆動時間に温度依存性を持たせた制御制御することや、あるいはより直接的にその温度変動を平衡に保つために印字を停止する等の制御がとられていた。
【０００３】
【発明が解決しようとする課題】
しかしながら、上記従来技術においては、それぞれ問題が指摘されていた。駆動エネルギー駆動時間の温度依存性制御制御においては、そもそも積極的に温度制御を行うものではなく対処療法的に制御するため、駆動時間等定まった範囲内での有効で有ると言うような制御そのものに限界があり、印字を停止制御にいても、印字停止そのものが印刷に関わる効率を阻害し、更に停止前後印字での記録画像に差分を生じる等の問題が指摘されていた。
【０００４】
【課題を解決するための手段】
本発明は上記従来例の問題を鑑みて行われたものであり、印刷時の印刷ヘッドの温度情報を計測する温度計測装置と、データ濃度を印刷濃度に置換する変換テーブルと、印刷時に定められた温度上昇が発生した際に前記変換テーブルを変更する変更手段とを有しており、また、定められた温度上昇を温度に依存する微分係数値により得るものである。
【０００５】
【発明の実施の形態】
以下に、本発明の実施の形態について図面を参照して説明する。
【０００６】
本発明の記録装置は、記録方式として、インクジェット方式あるいは感熱方式など、印字情報を熱エネルギーに変換する方式により印字を行う記録装置であるいかなるものを適用しても良い。
【０００７】
（実施例１）
図１は本発明の第一の実施例をあらわすもので、個々の図を用いて説明する。
【０００８】
（１−１）は印刷されるべき出力画像データであり、本実施例においては１画素が２値を超える印刷情報を有している。
【０００９】
（１−２）は本発明の特徴を強く現すものの一つである濃度変換テーブルであり、印刷情報の値を変換する複数の情報群により構成される。
【００１０】
（１−３）は（１−２）濃度変換テーブルよる変換後の印刷情報値を記録媒体に記憶される情報に変換する２値化テーブルである。
【００１１】
（１−４）は印刷情報を記録媒体に記録する印刷ヘッドである。ここでは印刷情報を熱エネルギーに変換することで記録剤を記録媒体に吐出する記録方式を用いている。
【００１２】
（１−５）は（１−４）印刷ヘッドに付帯し、印刷ヘッドの温度を記録する温度センサーである。
【００１３】
また、印刷装置としての各要素、例えばデータあるいはステータスを送受信する部分、記録媒体を移動させる部分、あるいは全体制御を司る部分等は明示されていないが存在する。
【００１４】
以上の構成において、本実施例の動作を説明する。
【００１５】
まず初めに電源投入時に印刷装置及び内部の各部が初期化される。（１−２）濃度変換テーブルは出力値が入力値と等価なもの（Ａ）が初期値として選択される。その後、装置は送受信部を経由して出力画像データが取り込まれるのを待つ。
【００１６】
送受信部を経由して（１−１）出力画像データが取り込まれ始めると、１印刷単位が蓄えられるのを待つ。１印刷単位が蓄えられると、印刷が開始されるが、ここでは記録媒体の移動に関する記述は省略する。
【００１７】
印刷が開始されると、（１−５）温度センサーが（１−４）印刷ヘッドの温度計測を行う。
【００１８】
その測定値は定まった周期により確定され、予め定められた値との比較が行われる。その際に確定された（１−４）印刷ヘッドの温度が予め定められた値を等しいか超える場合には、（１−２）濃度変換テーブルは出力値が入力値に比して低濃度が得られるもの（Ｂ）が選択される。また、確定された（１−４）印刷ヘッドの温度が予め定められた値を超えない場合には、（１−２）濃度変換テーブルは出力値が入力値と等価なもの（Ａ）が選択される。
【００１９】
印刷は（１−１）出力画像データが１印刷単位蓄えられると、（１−１）出力画像データは（１−２）濃度変換テーブルに従って、濃度変換され、（１−３）２値化テーブルに従って、（１−４）印刷ヘッドにおいて熱エネルギーに変換されるべき印刷情報に変換され、（１−４）印刷ヘッドにおいて記録媒体に記録剤が記録される。
【００２０】
ここでの印刷ヘッドの温度の予め定められた値とは経験的／実験的に確定される必要がある。
【００２１】
（実施例２）
図２は本発明の第二の実施例をあらわすもので、個々の図を用いて説明する。
【００２２】
（２−１）は印刷されるべき出力画像データであり、本実施例においては１画素が２値を超える印刷情報を有している。
【００２３】
（２−２）は本発明の特徴を強く現すものの一つである濃度変換テーブルであり、印刷情報の値を変換する複数の情報群により構成される。
【００２４】
（２−３）は（２−２）濃度変換テーブルよる変換後の印刷情報値を記録媒体に記憶される情報に変換する２値化テーブルである。
【００２５】
（２−４）は印刷情報を記録媒体に記録する印刷ヘッドである。ここでは印刷情報を熱エネルギーに変換することで記録剤を記録媒体に吐出する記録方式を用いている。
【００２６】
（２−５）は（２−４）印刷ヘッドに付帯し、印刷ヘッドの温度を記録する温度センサーである。
【００２７】
（２−６）は温度に依存する限界温度上昇率及び限界温度下降率を規定する温度‐傾きテーブルである。ここでは、二次元のグラフで現されているが、２列の行列でも勿論表せる。また、ここには温度上昇時に採用される温度‐傾きテーブル（２−６−Ａ）と温度下降時に採用される温度‐傾きテーブル（２−６−Ｂ）とがある。
【００２８】
また、印刷装置としての各要素、例えばデータあるいはステータスを送受信する部分、記録媒体を移動させる部分、あるいは全体制御を司る部分等は明示されていないが存在する。
【００２９】
以上の構成において、本実施例の動作を説明する。
【００３０】
まず初めに電源投入時に印刷装置及び内部の各部が初期化される。（２−２）濃度変換テーブルは出力値が入力値と等価なもの（Ａ）が初期値として選択される。その後、装置は送受信部を経由して出力画像データが取り込まれるのを待つ。
【００３１】
送受信部を経由して（２−１）出力画像データが取り込まれ始めると、１印刷単位が蓄えられるのを待つ。１印刷単位が蓄えられると、印刷が開始されるが、ここでは記録媒体の移動に関する記述は省略する。
【００３２】
印刷が開始されると、（２−５）温度センサーが（２−４）印刷ヘッドの温度計測を行う。
【００３３】
その測定値は定まった周期により確定され、更に一周期の後（２−５）温度センサーが（２−４）印刷ヘッドの温度計測を行う。
【００３４】
測定された値は、式
Δｔ（ｔｎ）＝（ｔｎ＋１−ｔｎ）／（Ｔｎ＋１−Ｔｎ）（Ｆ：２−１）
により求められる値Δｔ（ｔｎ）がＴｎでの温度変化量として確定する。
【００３５】
ここで得られた値Δｔ（ｔｎ）＞０の場合、Δｔと（２−６）温度‐傾きテーブル（Ａ）により得られる温度がｔｎの場合の限界温度上昇率との比較が行われる。
Δｔが（２−６）温度‐傾きテーブル（Ａ）のｔｎの場合の限界温度上昇率と等しいか超える場合には、（２−２）濃度変換テーブルは一段低い濃度テーブルが選択される。ここで一段低い濃度テーブルとは、Ａ１が使用されていた場合にはＡ２のことである。Δｔが（２−６）温度‐傾きテーブル（Ａ）のｔｎの場合の限界温度上昇率を超えない場合には、（２−２）濃度変換テーブルの変更は行われない。
【００３６】
また、ここで得られた値Δｔ（ｔｎ）＜０の場合（２−６）温度‐傾きテーブル（Ｂ）により得られる温度がｔｎの場合の限界温度下降率との比較が行われる。｜Δｔ｜が（２−６）温度‐傾きテーブル（Ｂ）のｔｎの場合の限界温度上昇率と等しいか超える場合には、（２−２）濃度変換テーブルは一段高い濃度テーブルが選択される。ここで一段高い濃度テーブルとは、Ａ２が使用されていた場合にはＡ１のことである。｜Δｔ｜が（２−６）温度‐傾きテーブル（Ｂ）のｔｎの場合の限界温度上昇率を超えない場合には、（２−２）濃度変換テーブルの変更は行われない。
【００３７】
印刷は（２−１）出力画像データが１印刷単位蓄えられると、（２−１）出力画像データは（２−２）濃度変換テーブルに従って、濃度変換され、（２−３）２値化テーブルに従って、（２−４）印刷ヘッドにおいて熱エネルギーに変換されるべき印刷情報に変換され、（２−４）印刷ヘッドにおいて記録媒体に記録剤が記録される。
【００３８】
ここでの（２−６）温度‐傾きテーブルは経験的／実験的に確定される必要がある。
【００３９】
【発明の効果】
以上説明したように本発明においては、駆動エネルギー駆動時間の温度依存性制御制御を排除し、印刷データそのものの濃度に温度依存性を持たせ、積極的に投入エネルギーを制御することで印字ヘッドの温度制御を行い、駆動エネルギー駆動時間の温度依存性制御での制御不可能時の印字停止による印刷に関わる効率が阻害されることを防止しするとともに、印字停止前後の印字での記録画像の不安定さを防止するものである。
【図面の簡単な説明】
【図１】図１は本発明の第一の実施例をあらわすものである。
【図２】図２は本発明の第二の実施例をあらわすものである。
【符号の説明】
（１−１）  印刷されるべき出力画像データ
（１−２）  濃度変換テーブル
（１−３）  ２値化テーブル
（１−４）  印刷ヘッド
（１−５）  温度センサー
（２−１）  印刷されるべき出力画像データ
（２−２）  濃度変換テーブル
（２−３）  ２値化テーブル
（２−４）  印刷ヘッド
（２−５）  温度センサー
（２−６）  温度‐傾きテーブル
【図１】
2004314441.tif 000003
【図２】
2004314441.tif 000004